(57)【特許請求の範囲】
【請求項１】
上下の枠と、
前記上下の枠に対して回動軸を介して連結される一対の戸体を有し、前記一対の戸体のそれぞれが前記回動軸周りに回動することで前記上下の枠間を開閉可能な折戸と、
前記上下の枠の一方に設けられる第１開き止め体と、
前記戸体に設けられる第２開き止め体と、を備え、
前記第２開き止め体は、前記折戸を開くときに前記第１開き止め体に対して摺動することで、前記第１開き止め体との間で生じる摩擦により前記折戸を折り畳み状態に保持する保持位置に移動可能であり、
前記折戸が伸長状態にあるとき、平面視において、前記第１開き止め体と前記第２開き止め体とは見込方向に離れた位置に配置されることを特徴とする折戸装置。
【請求項２】
上下の枠と、
前記上下の枠に対して回動軸を介して連結される一対の戸体を有し、前記一対の戸体のそれぞれが前記回動軸周りに回動することで前記上下の枠間を開閉可能な折戸と、
前記上下の枠の一方に設けられる第１開き止め体と、
前記戸体に設けられる第２開き止め体と、を備え、
前記第２開き止め体は、前記折戸を開くときに前記第１開き止め体に対して摺動することで、前記第１開き止め体との間で生じる摩擦により前記折戸を折り畳み状態に保持する保持位置に移動可能であり、
前記第１開き止め体は、前記第２開き止め体との間で生じる摩擦により前記折戸を折り畳み状態に保持する摩擦保持部を備え、
前記第１開き止め体は、前記摩擦保持部が見付方向に延びる押出成形品であることを特徴とする折戸装置。
【請求項３】
前記第１開き止め体は、前記上下の枠のうち、前記一対の戸体を前記回動軸を介して支持する支持枠に設けられる請求項１又は２に記載の折戸装置。
【請求項４】
前記第１開き止め体及び前記第２開き止め体の一方は、
前記折戸が開くときに他方の開き止め体に対して摺動することで、前記他方の開き止め体との間での上下方向での相対変位をガイドするガイド面を有する請求項１から３のいずれか１項に記載の折戸装置。
【請求項５】
前記第１開き止め体及び前記第２開き止め体の他方は、
前記折戸が開くときに一方の開き止め体のガイド面に対して摺動することで、前記一方の開き止め体との間での上下方向での相対変位をガイドするガイド面を有する請求項４に記載の折戸装置。
【請求項６】
前記上下の枠は、一方側の長手方向の開口端から他方側に向かって前記回動軸を挿入可能な中空形状であり、
前記第２開き止め体は、平面視において前記上下の枠に対して交差するように前記戸体を配置した状態で前記上下の枠内に前記開口端から前記回動軸を挿入するときに、前記第１開き止め体に対して摺動することで、前記第１開き止め体との間での上下方向での相対変位をガイドするガイド面を有する請求項１から５のいずれかに記載の折戸装置。
【発明の詳細な説明】
【技術分野】
【０００１】
本発明は、折戸を用いた折戸装置に関する。
【背景技術】
【０００２】
従来より、折戸を用いた折戸装置が知られている。折戸装置は、通常、上下の枠と、一対の戸体の折り畳み動作及び伸長動作を経ることで上下の枠間を開閉可能な折戸とを備えている。
【０００３】
この種の折戸装置は、ガーデンルーム等の屋外構造物の一部として用いられる場合がある。この場合、折り畳み状態にある折戸が風圧等により急に伸長してしまうと騒音等の原因になる。この対策として、特許文献１には、折戸を折り畳み状態にロックするロック装置が記載されている。このロック装置は、一対の戸体のうちの一方の戸体の見込面に設けられる押圧突起と、他方の戸体に設けられる昇降機構とを備える。昇降機構は、他方の戸体の見込面に設けられる作動突起と、他方の戸体の縦框内に昇降可能に配置される昇降ロッドと、作動突起から受けた荷重の向きを変えて昇降ロッドに伝達するためのアームや可動部材とを備える。このロック装置では、昇降ロッドの昇降により昇降ロッドが下枠に対して押し当たることで、折戸が折り畳み状態にロックされる。
【先行技術文献】
【特許文献】
【０００４】
【特許文献１】特開２００９−２６４０６４号公報
【発明の概要】
【発明が解決しようとする課題】
【０００５】
ところで、特許文献１のロック装置は、折戸を折り畳み状態に保持するうえで、複雑かつ部品点数の多い昇降機構を要している。製品コストの軽減の面からは、より簡易な構造により折戸を折り畳み状態に保持できる構造の提案が望まれる。
【０００６】
本発明は、このような課題に鑑みてなされ、その目的は、簡易な構造により折戸を折り畳み状態に保持できる技術を提供することにある。
【課題を解決するための手段】
【０００７】
上記課題を解決するための本発明のある態様は折戸装置である。第１態様の折戸装置は、上下の枠と、前記上下の枠に対して回動軸を介して連結される一対の戸体を有し、前記一対の戸体のそれぞれが前記回動軸周りに回動することで前記上下の枠間を開閉可能な折戸と、前記上下の枠の一方に設けられる第１開き止め体と、前記戸体に設けられる第２開き止め体と、を備え、前記第２開き止め体は、前記折戸を開くときに前記第１開き止め体に対して摺動することで、前記第１開き止め体との間で生じる摩擦により前記折戸を折り畳み状態に保持する保持位置に移動可能であることを特徴とする。
【０００８】
第１態様の折戸装置によれば、複雑な機構を要することなく、一対の戸体を回動軸周りに回動させるだけで、第２開き止め体を保持位置に移動させることができ、簡易な構造により折戸を折り畳み状態に保持できる。
【図面の簡単な説明】
【０００９】
【図１】第１実施形態の折戸装置が用いられる屋外構造物を示す斜視図である。
【図２】第１実施形態の折戸装置を上下方向に沿って切断した断面図である。
【図３】第１実施形態の枠の一部を示す平面図である。
【図４】第１実施形態の伸長状態にある折戸の平面図である。
【図５】第１実施形態の折り畳み状態にある折戸の平面図である。
【図６】図２の一部の拡大図である。
【図７】図４の一部の拡大図である。
【図８】第１実施形態の折戸の一部を模式的に示す平面図である。
【図９】第２開き止め体が第１開き止め体に対して摺動するときの途中状態を模式的に示す図である。
【図１０】第１実施形態の折戸が折り畳み状態にあるときの戸体の一部を示す図である。
【図１１】第１実施形態の一対の戸体の戸先側端部周りを拡大した平面断面図である。
【図１２】工程Ｓ２を説明するための平面図である。
【図１３】図１３（ａ）は、図１２の矢視Ｆｖ１から見た図であり、図１３（ｂ）は、枠内に回動軸を挿入した状態を示す図である。
【図１４】第１実施形態の折り畳み状態にある二つの折戸の平面図である。
【図１５】図１４の矢視Ｆｖ２から見た図である。
【図１６】第２実施形態の折戸装置の一部を図７と同じ視点から見た図である。
【図１７】図１６の第２開き止め体のＢ−Ｂ線断面図である。
【発明を実施するための形態】
【００１０】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。以下、共通点の多い別々の構成要素には、名称の冒頭に「第１、第２」又は「上側、下側」と付し、符号の末尾に「（Ａ）、（Ｂ）」と付すことで区別し、総称するときはこれらを省略する。
【００１１】
（第１の実施の形態）
図１は、第１実施形態の折戸装置１０が用いられる屋外構造物１２を示す斜視図である。
屋外構造物１２は、ガーデンルーム等のような、外部空間から区画された内部空間を屋外に形成するためのものである。屋外構造物１２は、複数の支柱１４と、複数の支柱１４により支持される屋根１６と、屋根１６の下方に配置される折戸装置１０とを備える。折戸装置１０は、複数の折戸２２（後述する）が閉位置にあるとき、外部空間から区画された内部空間を形成する。
【００１２】
図２は、折戸装置１０を上下方向に沿って切断した断面図である。
折戸装置１０は、主に、上下の枠２０と、折戸２２と、第１開き止め体２４と、第２開き止め体２６とを備える。折戸２２は、上下の枠２０間に収められ、上下の枠２０間を開閉可能である。第１開き止め体２４及び第２開き止め体２６は、折戸２２を折り畳み状態に保持するためのものである。本実施形態の折戸装置１０は、第１開き止め体２４及び第２開き止め体２６に主な特徴の一つがあるが、先に周辺構造から説明する。
【００１３】
（枠２０）
枠２０には上枠２０（Ａ）と下枠２０（Ｂ）とが含まれる。本実施形態の上枠２０（Ａ）は、折戸２２をガイドするとともに折戸２２を支持する支持枠２０（Ａ）として機能する。本実施形態の下枠２０（Ｂ）は、折戸２２をガイドするが折戸２２を支持しないガイド枠２０（Ｂ）として機能する。上枠２０（Ａ）及び下枠２０（Ｂ）は、折戸２２の見込方向Ｘ（後述する）に対向する一対の壁部２０ｂを含む溝状断面の本体部２０ａと、一対の壁部２０ｂの開口側端部から見込方向Ｘの内側に突き出る一対のガイド壁部２０ｃとを有する。
【００１４】
図３は、枠２０の一部を示す平面図である。本図では下枠２０（Ｂ）のみ示す。
上下の枠２０には、複数の折戸２２がスライド可能なスライド経路２８が設けられる。スライド経路２８には、第１区間２８ａと、第２区間２８ｂと、コーナー区間２８ｃとが含まれる。第１区間２８ａは、矩形の四辺のうちの対辺の関係にある二つの第１辺に対応する位置に直線状に設けられる。第２区間２８ｂは、矩形の四辺のうちの二つの第１辺と隣辺の関係にある第２辺に対応する位置に直線状に設けられる。コーナー区間２８ｃは、隣り合う第１区間２８ａと第２区間２８ｂとを繋ぐ曲り角として設けられる。上下の枠２０のそれぞれは複数の枠部材を枠組みして構成され、スライド経路２８の各区間２８ａ〜２８ｃは個別の枠部材に形成される。上下の枠２０間には、スライド経路２８の第１区間２８ａや第２区間２８ｂに複数の折戸２２が配置され、コーナー区間２８ｃにスライド経路２８に沿ってスライド可能なコーナー縦枠（不図示）が配置される。また、上下の枠２０間には、スライド経路２８の末端位置にフィックスパネル３０が固定された状態で収められる。
【００１５】
（折戸２２）
図４は、伸長状態にある折戸２２の平面図である。
本明細書では見込方向Ｘ、見付方向Ｙということがある。本明細書での見込方向Ｘ及び見付方向Ｙは、折戸２２が伸長状態にあるとき、折戸２２を正面から見たときの奥行方向及び水平方向をいう。本実施形態では見込方向Ｘの一方側が室外側Ｏｕｔとなり、見込方向Ｘの他方側が室内側Ｉｎとなる。
【００１６】
折戸２２は、一対の戸体３２を有する。図２、図４に示すように、戸体３２は、透光性をもつガラスパネル等の矩形状のパネル体３４と、パネル体３４の四周を囲むように設けられる框３６とを備える。框３６には、戸体３２の上下方向両側の上横框３６ａ及び下横框３６ｂと、戸体３２の見付方向Ｙ両側の二つの縦框３６ｃ、３６ｄとが含まれる。二つの縦框３６ｃ、３６ｄには、戸体３２の戸先側端部３２ａ（後述する）を構成する戸先側縦框３６ｃと、戸体３２の戸尻側端部３２ｂ（後述する）を構成する戸尻側縦框３６ｄとが含まれる。
【００１７】
一対の戸体３２は、互いの戸先側端部３２ａがヒンジ機構３８を介して回動可能に連結される。一対の戸体３２は、上下の枠２０に対して回動軸４０を介してそれぞれの戸尻側端部３２ｂが連結される。回動軸４０には、戸体３２の戸尻側縦框３６ｄの上端部から上方に突き出る上側回動軸４０（Ａ）と、戸尻側縦框３６ｄの下端部から下方に突き出る下側回動軸４０（Ｂ）とが含まれる。各回動軸４０は、上枠２０（Ａ）や下枠２０（Ｂ）の一対のガイド壁部２０ｃ間に配置される。回動軸４０の先端部にはスライダ４２が取り付けられる。本実施形態のスライダ４２はローラである。スライダ４２は一対のガイド壁部２０ｃの裏側に配置され、支持枠２０（Ａ）に対して案内される。一対の戸体３２は、支持枠２０（Ａ）のガイド壁部２０ｃ上にスライダ４２を載せることで、支持枠２０（Ａ）に対して上側回動軸４０（Ａ）を介して支持される。本実施形態の折戸２２は、上下の枠２０に対して回動軸４０やスライダ４２を介して一対の戸体３２のそれぞれがスライド可能である。
【００１８】
図５は、折り畳み状態にある折戸２２の平面図である。
図４、図５に示すように、折戸２２は、一対の戸体３２のそれぞれが回動軸４０周りの両側に回動することで、一対の戸体３２の折り畳み動作及び伸長動作を伴い上下の枠２０間を開閉可能である。詳しくは、折戸２２は、一対の戸体３２のそれぞれが回動軸４０周りの一方側Ｐａ１に回動することで、一対の戸体３２の折り畳み動作を伴い上下の枠２０間を開く。また、折戸２２は、一対の戸体３２のそれぞれが回動軸４０周りの他方側Ｐａ２に回動することで、一対の戸体３２の伸長動作を伴い上下の枠２０間を閉じる。以下、一対の戸体３２のそれぞれの回動軸４０周りの回動方向に関して、上下の枠２０間を開くときの一方側Ｐａ１の回動方向を開方向Ｐａ１とし、上下の枠２０間を閉じるときの他方側Ｐａ２の回動方向を閉方向Ｐａ２とする。
【００１９】
（第１開き止め体２４）
図６は、図２の一部の拡大図である。図７は、図４の一部の拡大図である。図６は、図７のＡ−Ａ線断面図でもある。
第１開き止め体２４は、戸体３２の見込方向Ｘの室外側Ｏｕｔ寄りの位置で戸体３２と上下に対向する位置に上枠２０（Ａ）に設けられる。本実施形態の第１開き止め体２４は上枠２０（Ａ）とは別体に構成される。
【００２０】
第１開き止め体２４は、第１摩擦保持部２４ａと、第１ガイド面２４ｂとを有する。第１開き止め体２４は、各部位が一体成形された押出成形品（一体成形品）である。第１開き止め体２４は、ゴムのような弾性的な潰れ変形をしない程度の硬質材を素材としている。この硬質材は、本実施形態ではアルミニウムであるが、他の金属や樹脂等でもよい。第１開き止め体２４は、図示しないが、複数の折戸２２に対して見付方向Ｙに跨がる範囲で設けられる。第１開き止め体２４は、一つの折戸２２の一対の戸体３２に対して見付方向Ｙに跨がる範囲で設けられるともいえる。
【００２１】
第１摩擦保持部２４ａの表面は、上側回動軸４０（Ａ）の中心軸線ＣＬと直交するとともに見付方向Ｙに沿って延びるように平坦に形成される。本明細書での「直交」には、幾何学的に完全に直交する場合と、ほぼ直交する場合との両方が含まれる。第１ガイド面２４ｂは、第１摩擦保持部２４ａの見込方向Ｘの室外側の端縁部２４ｃから室外側に向かうにつれて、戸体３２から離れるように傾斜する平坦面により形成される。第１摩擦保持部２４ａは板状をなし、その表面とは上下反対側の裏面からは支持枠２０（Ａ）に近づく側に向かって延び出る二つの延出部２４ｄが設けられる。二つの延出部２４ｄの先端部には見込方向Ｘに突き出る爪部２４ｅが形成される。本実施形態の爪部２４ｅは支持枠２０（Ａ）の長手方向に沿って延びる突条である。
【００２２】
支持枠２０（Ａ）には、折戸２２と上下に対向する位置に見込方向Ｘに間隔を空けて二つの突出壁部２０ｄが形成される。二つの突出壁部２０ｄには見込方向Ｘに臨む位置に支持枠２０（Ａ）の長手方向に沿って延びる溝部２０ｅが形成される。第１開き止め体２４は、支持枠２０（Ａ）の溝部２０ｅ内に爪部２４ｅが配置され、支持枠２０（Ａ）の溝部２０ｅに爪部２４ｅが係合されることで、支持枠２０（Ａ）に対する位置が保持される。支持枠２０（Ａ）は、支持枠２０（Ａ）の長手方向の一方側に向かって開放する開口端（不図示）を有する。第１開き止め体２４の爪部２４ｅは、支持枠２０（Ａ）の開口端から支持枠２０（Ａ）の長手方向の他方側に向かって溝部２０ｅ内に差し込むことで、支持枠２０（Ａ）の溝部２０ｅ内に配置される。
【００２３】
（第２開き止め体２６）
第２開き止め体２６は、第１開き止め体２４に対して戸体３２の見込方向Ｘの室内側Ｉｎ寄りの位置であって、戸体３２の戸尻側寄りの位置にて支持枠２０（Ａ）と上下に対向する位置に設けられる。本実施形態の第２開き止め体２６は、戸体３２の上横框３６ａとは別体に構成される。第２開き止め体２６は、一対の戸体３２のそれぞれに設けられる（図４参照）。
【００２４】
第２開き止め体２６は、第２摩擦保持部２６ａと、第２ガイド面２６ｂと、第３ガイド面２６ｃと、取付部２６ｄとを有する。第２開き止め体２６は、各部位が一体成形された押出成形品（一体成形品）である。第２開き止め体２６は、ゴムのような弾性的な潰れ変形をしない程度の硬質材を素材としている。この硬質材は、本実施形態では６−ナイロンであるが、他の樹脂や金属等でもよい。
【００２５】
第２摩擦保持部２６ａの表面は、上側回動軸４０（Ａ）の中心軸線ＣＬと直交するように平坦に形成される。第２摩擦保持部２６ａの表面は、室外側Ｏｕｔに臨む室外側端縁部２６ｅが曲線形の線状をなしており、その室外側端縁部２６ｅを介して第２ガイド面２６ｂに連ねられている。また、第２摩擦保持部２６ａの表面は、室内側Ｉｎに臨む室内側端縁部２６ｆが直線形の線状をなしており、その室内側端縁部２６ｆを介して第３ガイド面２６ｃに連ねられている。
【００２６】
第２ガイド面２６ｂは、第２摩擦保持部２６ａの表面に対して室外側Ｏｕｔに設けられる。第２ガイド面２６ｂは、上側回動軸４０（Ａ）の中心軸線ＣＬと直交する面に対して傾斜している。第２ガイド面２６ｂは、第２摩擦保持部２６ａの室外側端縁部２６ｅから室外側及び戸先側（図７の紙面の下側）に向かうにつれて、戸体３２に近づくような截頭円錐状の曲面により形成される。第２ガイド面２６ｂは、上側回動軸４０（Ａ）の軸線方向Ｃでの位置に関して、第１開き止め体２４の第１ガイド面２４ｂと少なくとも一部が重なるように設けられる。
【００２７】
第３ガイド面２６ｃは、第２摩擦保持部２６ａの表面に対して室内側Ｉｎに配置される。第３ガイド面２６ｃは、上側回動軸４０（Ａ）の中心軸線ＣＬと直交する面に対して傾斜している。第３ガイド面２６ｃは、第２摩擦保持部２６ａの室内側端縁部２６ｆから室内側Ｉｎに向かうにつれて、戸体３２に近づくような平坦面により形成される。
【００２８】
取付部２６ｄは板状をなし、第２摩擦保持部２６ａの表面に対して室内側Ｉｎに配置される。第２開き止め体２６は、ビス等の締結具４４によって、戸体３２の上横框３６ａの外壁部と自らの取付部２６ｄとを共締めすることにより、戸体３２に取り付けられる。
【００２９】
第２開き止め体２６には、第２摩擦保持部２６ａの裏面側に凹部２６ｇが形成される。第２開き止め体２６は、凹部２６ｇを挟んで見込方向Ｘの両側部分が戸体３２と接触している。凹部２６ｇは、後述のように、第２摩擦保持部２６ａを含む部位の弾性的な撓み変形を許容するために設けられる。
【００３０】
以上の第１開き止め体２４及び第２開き止め体２６の動作を説明する。図８は、折戸２２の一部を模式的に示す平面図である。本図では、第１開き止め体２４の第１摩擦保持部２４ａ、第１ガイド面２４ｂを破線で示す。
【００３１】
図８（ａ）に示すように、折戸２２が伸長状態にあるとき、第１開き止め体２４と第２開き止め体２６とは離れた位置に配置される。この状態から、一対の戸体３２を開方向Ｐａ１に回動させることで折戸２２を開く場合を考える。この場合、図８（ｂ）に示すように、第２開き止め体２６の第２ガイド面２６ｂは、第１開き止め体２４の第１ガイド面２４ｂに対して接触し、戸体３２の回動量の増大に伴い、第１ガイド面２４ｂに対して摺動する。
【００３２】
図９は、第２開き止め体２６が第１開き止め体２４を摺動するときの途中状態を模式的に示す図である。
図９（ａ）では、第２開き止め体２６の第２ガイド面２６ｂが第１開き止め体２４の第１ガイド面２４ｂに対して接触し始めた時点を示す。この時点から、戸体３２とともに第２開き止め体２６が開方向Ｐａ１に回動すると、第２開き止め体２６の第２ガイド面２６ｂが第１ガイド面２４ｂに対して摺動する。これにより、図９（ｂ）に示すように、第２開き止め体２６の第２摩擦保持部２６ａを含む部位を支持枠２０（Ａ）から上下に離れる方向Ｐｂに弾性的に撓み変形させることができる。ここから戸体３２とともに第２開き止め体２６を更に開方向Ｐａ１に回動させることで、第２開き止め体２６の第２摩擦保持部２６ａの表面と第１開き止め体２４の第１摩擦保持部２４ａの表面とを接触させることができる。
【００３３】
このように、第２開き止め体２６の第２ガイド面２６ｂは、第１開き止め体２４に対して摺動することで、第１開き止め体２４との間での上下方向での相対変位をガイドする。第１開き止め体２４の第１ガイド面２４ｂは、第２開き止め体２６に対して摺動することで、第２開き止め体２６との間での上下方向での相対変位をガイドしているともいえる。
【００３４】
図１０は、折戸２２が折り畳み状態にあるときの戸体３２の一部を示す図である。
図８（ｃ）、図１０に示すように、折戸２２が折り畳み状態になるまで一対の戸体３２を開方向Ｐａ１に回動させると、第２開き止め体２６は、第１開き止め体２４の第１摩擦保持部２４ａの表面に対して自らの第２摩擦保持部２６ａの表面が接触する位置（以下、保持位置という）に移動する。このとき、第２開き止め体２６の第２摩擦保持部２６ａを含む部位は弾性的に撓み変形しており、第２開き止め体２６の第２摩擦保持部２６ａは、自らの弾性反発力により、第１開き止め体２４の第１摩擦保持部２４ａに対して方向Ｐｃに押し付けられた状態となる。これにより、第２開き止め体２６は、第１開き止め体２４の第１摩擦保持部２４ａとの間で生じる摩擦により、折戸２２を折り畳み状態に保持する。
【００３５】
このように、第２開き止め体２６は、折戸２２を開くときに第１開き止め体２４に対して摺動することで、第１開き止め体２４との間で生じる摩擦により折戸２２を折り畳み状態に保持する保持位置に移動する。また、第２開き止め体２６は、折戸２２を閉じるとき、第１開き止め体２４に対して摺動することで第１開き止め体２４から離れ、折戸２２の保持を解除する保持解除位置に移動する。
【００３６】
以上の折戸装置１０の作用効果を説明する。
本実施形態の第２開き止め体２６は、折戸２２を開くときに第１開き止め体２４に対して摺動することで、折戸２２を折り畳み状態に保持する保持位置に移動可能である。よって、複雑な機構を要することなく、一対の戸体３２を回動軸４０周りに回動させるだけで、第２開き止め体２６を保持位置に移動させることができ、簡易な構造により折戸２２を折り畳み状態に保持できる。また、折戸２２を折り畳み状態に保持するために複雑な機構を要しないため、部品点数の削減により製品コストの軽減が図られる。
【００３７】
また、第１開き止め体２４と第２開き止め体２６とは、折戸２２が伸長状態にあるとき、枠２０と戸体３２との間で上下に対向する位置に設けられる。よって、これらは使用者の視野に入りにくいところに設けられるため、これらの外部への露出を抑えることで良好な意匠性を得られる。
【００３８】
また、第１開き止め体２４は、上下の枠２０のうちの支持枠２０（Ａ）に設けられるため、次の利点がある。特許文献１のロック装置では、上側の支持枠ではなく下側のガイド枠に対して昇降ロッドが接触することで、折戸をロックする構造である。積雪等の外的要因や施工誤差等に起因してガイド枠に撓みが生じたとき、その撓みに追従して戸体が変位せず、戸体とガイド枠との間のクリアランスが変動してしまう。この影響により昇降ロッドの昇降時に昇降ロッドをガイド枠に接触させ難くなり、安定して折戸を折り畳み状態に保持できないケースが生じ得る。
【００３９】
この点、支持枠２０（Ａ）に撓みが生じた場合、その撓みに追従して戸体３２が変位するため、支持枠２０（Ａ）と戸体３２との間のクリアランスＬａ（図１０参照）が変動し難い。本実施形態では、このような支持枠２０（Ａ）に第１開き止め体２４が設けられているため、支持枠２０（Ａ）に撓みが生じた場合でも、第１開き止め体２４と第２開き止め体２６との間での上下方向での相対的な位置関係が変化し難い。よって、支持枠２０（Ａ）に撓みが生じた場合でも、戸体３２を開くときに第２開き止め体２６を第１開き止め体２４に接触させ易くなり、各開き止め体２４、２６により安定して折戸２２を折り畳み状態に保持できるようになる。
【００４０】
また、本実施形態によれば、支持枠２０（Ａ）に撓みが生じたときでも、第１開き止め体２４と第２開き止め体２６との間での上下方向での相対的な位置関係が変化し難い。よって、折戸２２を開閉するときに折戸２２に入力すべき荷重が変動し難くなり、折戸２２の開閉動作時に一定の操作感を得やすくなる。
【００４１】
また、第２開き止め体２６は、折戸２２を開くときに第１開き止め体２４との間での上下方向での相対変位をガイドする第２ガイド面２６ｂを有する。よって、折戸２２を開くときに、第２開き止め体２６を保持位置にまでスムーズに移動させ易くなる。
【００４２】
また、第１開き止め体２４も、折戸２２を開くときに第２開き止め体２６との間での相対変位をガイドする第１ガイド面２４ｂを有する。よって、折戸２２を開くときに、第２開き止め体２６を保持位置にまでよりスムーズに移動させ易くなる。
【００４３】
（ヒンジ機構３８）
次に、本実施形態の折戸装置１０の他の特徴を説明する。図１１は、一対の戸体３２の戸先側端部３２ａ周りを拡大した平面断面図である。
図４、図１１に示すように、一対の戸体３２は互いの戸先側端部３２ａがヒンジ機構３８を介して回動可能に連結される。本実施形態のヒンジ機構３８は、接続部材４６と、カバー部材４８とを備える。
【００４４】
図１１に示すように、接続部材４６は、第１軸受部４６ａと、第２軸受部４６ｂと、接続部４６ｃとを有する。第１軸受部４６ａは、一対の戸体３２のうちの一方の戸体３２（Ａ）（以下、単に第１戸体３２（Ａ）という）の戸先側端部３２ａに形成される第１挿通孔３２ｃ内に挿通される。第２軸受部４６ｂは、一対の戸体３２のうちの他方の戸体３２（Ｂ）（以下、単に第２戸体３２（Ｂ）という）の戸先側端部３２ａに形成される第２挿通孔３２ｄ内に挿通される。第１軸受部４６ａ及び第２軸受部４６ｂの内部には上下方向に沿って延びるとともに溝状をなす空洞部４６ｄが形成される。
【００４５】
接続部４６ｃは、第１軸受部４６ａと第２軸受部４６ｂとを接続する。接続部４６ｃは、折戸２２の見込方向Ｘの一方側（室外側Ｏｕｔ）から他方側（室内側Ｉｎ）に向かって折り返すような板状の形状をなす。折戸２２の第１挿通孔３２ｃと第２挿通孔３２ｄとは互いに見付方向Ｙに対向する位置が切り欠かれており、接続部材４６の接続部４６ｃは挿通孔３２ｃ、３２ｄの切り欠きを通るように配置される。
【００４６】
図４に示すように、カバー部材４８は、カバー部４８ａと、第１ヒンジ軸部４８ｂと、第２ヒンジ軸部４８ｃとを有する。カバー部４８ａは、第１戸体３２（Ａ）の第１挿通孔３２ｃや第２戸体３２（Ｂ）の第２挿通孔３２ｄの上下方向両側それぞれの開口端を覆うように設けられる。第１ヒンジ軸部４８ｂは、図示しないが、カバー部４８ａから第１挿通孔３２ｃ内に突き出ており、接続部材４６の第１軸受部４６ａを回転自在に支持する。第２ヒンジ軸部４８ｃは、図示しないが、カバー部４８ａから第２挿通孔３２ｄ内に突き出ており、接続部材４６の第２軸受部４６ｂを回転自在に支持する。以上のヒンジ機構３８は、一対の戸体３２のそれぞれを第１ヒンジ軸部４８ｂや第２ヒンジ軸部４８ｃ周りに回転可能に連結することになる。
【００４７】
ここで、接続部材４６は、金属等の硬質素材を用いて、各部位が一体成形される押出成形品（一体成形品）である。接続部材４６は、一対の戸体３２の上端から下端にかけての高さ寸法と同等の高さ寸法をもつ。接続部材４６は一体成形品であるため、これを複数の部品により構成する場合と比べて継ぎ目のない構造となり、すっきりとした外観にすることで良好な意匠性を得られる。
【００４８】
また、接続部材４６の各軸受部４６ａ、４６ｂやカバー部材４８の各ヒンジ軸部４８ｂ、４８ｃは、折戸２２が伸長状態にあるとき、折戸２２の見込方向Ｘの一方側（室内側Ｉｎ）から戸体３２の第１挿通孔３２ｃや第２挿通孔３２ｄにより覆われる。よって、折戸２２の見込方向Ｘの室内側Ｉｎから見たとき、接続部材４６の各軸受部４６ａ、４６ｂやカバー部材４８の各ヒンジ軸部４８ｂ、４８ｃが外観に現れにくくなり、すっきりとした外観にすることで良好な意匠性を得られる。
【００４９】
また、一対の戸体３２それぞれの戸先側端部３２ａの突き合わせ面には個別のシール部材５０が取り付けられる。接続部材４６は、折戸２２が伸長状態にあるとき、折戸２２の見付方向の他方側（室外側Ｏｕｔ）から個別のシール部材５０により覆われる。よって、折戸２２の見込方向Ｘの室外側Ｏｕｔから見たとき、接続部材４６が外観に現れにくくなり、すっきりとした外観にすることで良好な意匠性を得られる。
【００５０】
（ガイド面）
本実施形態では、上下の枠２０間に折戸２２を収めるうえで、次の工程を経ている。図１２は、次の工程Ｓ２を説明するための平面図であり、図１３は、図１２の矢視Ｆｖ１から見た図である。
【００５１】
まず、一対の戸体３２のそれぞれから接続部材４６やカバー部材４８を取り外しておく（Ｓ１）。図１２、図１３（ａ）に示すように、支持枠２０（Ａ）やガイド枠２０（Ｂ）を構成する枠部材は、一方側の長手方向の開口端２０ｆから他方側に向かう方向Ｐｄに回動軸４０やスライダ４２を挿入可能な中空形状である。図１３（ｂ）に示すように、このような支持枠２０（Ａ）やガイド枠２０（Ｂ）の内部に、個々の戸体３２の回動軸４０やスライダ４２を挿入することで、上下の枠２０間に戸体３２を収める（Ｓ２）。この後、一対の戸体３２のそれぞれに接続部材４６やカバー部材４８を取り付ける（Ｓ３）。以上の工程Ｓ１〜Ｓ３を経ることで、上下の枠２０間に折戸２２を収める作業が完了する。
【００５２】
工程Ｓ２では、図１２に示すように、平面視において、上下の枠２０に対して交差するように戸体３２を配置した状態で、上下の枠２０の内部に開口端２０ｆから回動軸４０等を挿入する。本実施形態では、上下の枠２０に対して直交するように戸体３２を配置した状態にする。このとき、上下の枠２０間には、一対の戸体３２のうち第１戸体３２（Ａ）が先に収められ、第２戸体３２（Ｂ）が後に収められる。
【００５３】
ここで、第１戸体３２（Ａ）の第２開き止め体２６の第２ガイド面２６ｂは、第１戸体３２（Ａ）の回動軸４０を枠２０の開口端２０ｆから挿入するとき、第１開き止め体２４に対して摺動することで、第１開き止め体２４との間での上下方向での相対変位をガイドする。また、第２戸体３２（Ｂ）の第２開き止め体２６の第３ガイド面２６ｃは、第２戸体３２（Ｂ）の回動軸４０を枠２０の開口端２０ｆから挿入するとき、第１開き止め体２４に対して摺動することで、第１開き止め体２４との間での上下方向での相対変位をガイドする。ここでの「ガイドする」とは、図９を用いて説明したような、第２開き止め体２６の第２摩擦保持部２６ａを含む部位を支持枠２０（Ａ）から上下に離れる方向Ｐｂに弾性的に撓み変形させることで行われる。これにより、上下の枠２０内に開口端２０ｆから回動軸４０を挿入するとき、戸体３２をスムーズに移動させ易くなる。
【００５４】
（保持部材）
図１１に示すように、折戸２２は、一対の戸体３２それぞれの戸先側縦框３６ｃの突き合わせ面に個別に取り付けられる一対の保持部材５２を備える。一対の保持部材５２には、第１戸体３２（Ａ）に取り付けられる第１保持部材５２（Ａ）と、第２戸体３２（Ｂ）に取り付けられる第２保持部材５２（Ｂ）とが含まれる。
【００５５】
保持部材５２は、戸体３２の突き合わせ面にビス等の締結具（不図示）により締結される板状の固定部５２ａと、固定部５２ａから対向する他の戸先側縦框３６ｃの突き合わせ面に突き出る腕部５２ｂとを有する。
【００５６】
第１保持部材５２（Ａ）の腕部５２ｂは、固定部５２ａの見込方向Ｘの室外側Ｏｕｔの端縁部から突き出ており、第２保持部材５２（Ｂ）の腕部５２ｂも固定部５２ａの見込方向Ｘの室外側Ｏｕｔの端縁部から突き出ている。第１保持部材５２（Ａ）の腕部５２ｂは第２保持部材５２（Ｂ）の腕部５２ｂに対して見込方向Ｘの室外側Ｏｕｔに配置される。
【００５７】
各保持部材５２（Ａ）の腕部５２ｂの先端部には爪部５２ｃが形成される。第１保持部材５２（Ａ）の爪部５２ｃは、第２保持部材５２（Ｂ）の腕部５２ｂがある見込方向Ｘの室内側Ｉｎに突き出ており、第２保持部材５２（Ｂ）の爪部５２ｃは、第１保持部材５２（Ａ）の腕部５２ｂがある見込方向の室外側Ｏｕｔに突き出る。第１保持部材５２（Ａ）の腕部５２ｂは弾性的な撓み変形を許容するために基端部が切り欠かれている。第１保持部材５２（Ａ）の腕部５２ｂは、見込方向の室外側Ｏｕｔに弾性的に撓み変形した状態で、第２保持部材５２（Ｂ）に接触している。
【００５８】
以上の折戸２２では、第２保持部材５２（Ｂ）が取り付けられた戸体３２が回動軸４０周りに開方向Ｐａ１に回動しようとしたとき、第２保持部材５２（Ｂ）の腕部５２ｂと第１保持部材５２（Ａ）の腕部５２ｂとの係合により、戸体３２が回動し難くなる。この結果、第１保持部材５２（Ａ）と第２保持部材５２（Ｂ）との係合により、一対の戸体３２を伸長状態に保持可能となる。よって、バネ等の付勢部材をヒンジ機構３８に組み込まなくとも一対の戸体３２を伸長状態に保持し易くなり、ヒンジ機構３８の小型化が図られる。
【００５９】
また、第１保持部材５２（Ａ）及び第２保持部材５２（Ｂ）は前述の接続部材４６やシール部材５０により見込方向Ｘの両側から覆われる。よって、折戸２２の見込方向Ｘから見たとき、第１保持部材５２（Ａ）や第２保持部材５２（Ｂ）が外観に現れにくくなり、すっきりとした外観にすることで良好な意匠性を得られる。
【００６０】
（戸当たり部材）
図１４は、折り畳み状態にある二つの折戸２２の平面図である。図１５は、図１４の矢視Ｆｖ２から見た図である。
図４、図１５に示すように、折戸２２は、一対の戸体３２の他に、戸体３２の戸尻側端部３２ｂの見付方向Ｙに臨む外壁面に取り付けられる第１戸当たり部材５４を備える。図１５に示すように、第１戸当たり部材５４は、戸尻側端部３２ｂの長手方向両端部に取り付けられる。
【００６１】
図４に示すように、折戸２２は、戸体３２の戸尻側端部３２ｂに取り付けられる第２戸当たり部材５６と、戸体３２の戸先側端部３２ａに取り付けられる第３戸当たり部材５８とを備える。第２戸当たり部材５６は、戸尻側端部３２ｂの長手方向両端部のそれぞれに取り付けられる。第３戸当たり部材５８は、戸先側端部３２ａの長手方向両端部のそれぞれに取り付けられる。
【００６２】
図１４、図１５に示すように、一方の戸体３２の第１戸当たり部材５４は、一対の戸体３２が折り畳み状態にあるとき、他方の戸体３２の戸尻側端部３２ｂに対して突き当てられる第１戸当たり部５４ａを有する。第１戸当たり部５４ａは、他方の戸体３２の戸尻側端部３２ｂに対して、その他方の戸体３２の戸尻側端部３２ｂに取り付けられる第１戸当たり部材５４の第１戸当たり部５４ａを介して突き当てられる。第１戸当たり部５４ａは、一対の戸体３２同士が接触するときの衝撃を緩衝する役割をもつ。
【００６３】
図１４に示すように、第２戸当たり部材５６は、一対の戸体３２が折り畳み状態にあるとき、隣り合う他の折戸２２の戸尻側端部３２ｂに対して突き当たる第２戸当たり部５６ａを有する。第２戸当たり部５６ａは、他の折戸２２の戸尻側端部３２ｂに対して、その他の戸尻側端部３２ｂに取り付けられる第２戸当たり部材５６の第２戸当たり部５６ａを介して突き当てられる。第２戸当たり部５６ａは、隣り合う折戸２２の戸体３２同士が接触するときの衝撃を緩衝する役割をもつ。
【００６４】
第３戸当たり部材５８は、一対の戸体３２が折り畳み状態にあるとき、隣り合う他の折戸２２の戸先側端部３２ａに対して突き当たる第３戸当たり部５８ａを有する。第３戸当たり部５８ａは、他の折戸２２の戸先側端部３２ａに対して、その他の戸先側端部３２ａに取り付けられる第３戸当たり部材５８の第３戸当たり部５８ａを介して突き当てられる。第３戸当たり部５８ａも、隣り合う折戸２２の戸体３２同士が接触するときの衝撃を緩衝する役割をもつ。
【００６５】
（第２の実施の形態）
図１６は、第２実施形態の折戸装置１０の一部を図７と同じ視点から見た図である。図１７は、図１６の第２開き止め体２６のＢ−Ｂ線断面図である。
第２実施形態は、第１実施形態と比べて、第２開き止め体２６の構成が相違する。第２開き止め体２６の第２摩擦保持部２６ａの表面は、室外側端縁部２６ｅ及び室内側端縁部２６ｆが連続する曲線状の線状をなしている。第２開き止め体２６の第２ガイド面２６ｂ及び第３ガイド面２６ｃは、第２摩擦保持部２６ａの室外側端縁部２６ｅ及び室内側端縁部２６ｆから見込方向Ｘの両側及び戸先側に離れるにつれて、戸体３２に近づくような截頭円錐状の連続する曲面により形成される。取付部２６ｄは、第２摩擦保持部２６ａの表面に対して見込方向Ｘの室内側Ｉｎに配置される他、その表面に対して見込方向Ｘの室外側Ｏｕｔに配置される。
【００６６】
第１実施形態の第２開き止め体２６は、第２摩擦保持部２６ａの弾性的な撓み変形を許容するため、第２摩擦保持部２６ａの裏面側に切欠６０が形成される。切欠６０は、見込方向Ｘの両側、かつ、戸尻側（図１６の紙面の上側）に向かって開放している。
【００６７】
本実施形態の折戸装置１０によっても、第１実施形態で説明した内容と同様の作用効果を得られる。
【００６８】
以上、本発明の実施形態の例について詳細に説明した。前述した実施形態は、いずれも本発明を実施するにあたっての具体例を示したものにすぎない。実施形態は、本発明の技術的範囲を限定するものではなく、請求の範囲に規定された発明の思想を逸脱しない範囲において、多くの変更が可能である。また、図面の断面に付したハッチングは、ハッチングを付した対象の材質を限定するものではない。
【００６９】
本実施形態の枠２０は、矩形の三辺に対応する位置に沿って延びるように設けられる例を説明した。枠２０は、その具体的な配置態様に関して特に限られず、たとえば、単に直線状に延びるように設けられてもよい。また、本実施形態では上枠２０（Ａ）が支持枠であり、下枠２０（Ｂ）がガイド枠である例を説明したが、下枠２０（Ｂ）が支持枠であり、上枠２０（Ａ）がガイド枠でもよい。つまり、上枠２０（Ａ）と下枠２０（Ｂ）との何れか一方が折戸２２を支持する支持枠であればよい。なお、ここでの支持とは、折戸２２の鉛直荷重を受けて支持することをいう。
【００７０】
本実施形態の折戸２２は、上下の枠２０に対して回動軸４０等を介して一対の戸体３２のそれぞれがスライド可能な例を説明した。これに限られず、折戸２２は、一対の戸体３２のうちの少なくとも一方の戸体３２が回動軸４０を介して上下の枠２０に対してスライド可能であればよい。この場合、一対の戸体３２のうちの他方の戸体３２は回動軸４０を介して上下の枠２０に対してスライド不能に設けられる。
【００７１】
第１開き止め体２４は上下の枠２０の一方の枠２０と別体に構成される例を説明した。この他にも、一方の枠２０の一部として一体成形されていてもよい。第１開き止め体２４は、上下の枠２０のうちの支持枠２０（Ａ）に設けられる例を説明したが、ガイド枠２０（Ｂ）に設けられていてもよい。
【００７２】
第２開き止め体２６は戸体３２と別体に構成される例を説明した。この他にも、戸体３２の框３６の一部として一体成形されていてもよい。
【００７３】
第２開き止め体２６が保持位置に移動したとき、第２開き止め体２６の一部が弾性的に撓み変形し、その弾性反発力により、第１開き止め体２４に対して押し付けられた状態になる例を説明した。第２開き止め体２６が保持位置にあるとき、第１開き止め体２４に対して押し付けられるための手段は特に限られない。たとえば、第２開き止め体２６が保持位置にあるとき、戸体３２全体が僅かに傾斜するようにしておき、戸体３２の自重によって、第１開き止め体２４に対して押し付けられてもよい。
【００７４】
第１開き止め体２４は第１ガイド面２４ｂを有し、第２開き止め体２６は第２ガイド面２６ｂを有する例を説明したが、これに限られない。たとえば、第１ガイド面２４ｂ、第２ガイド面２６ｂの両方がなくともよい。また、第１ガイド面２４ｂ及び第２ガイド面２６ｂの何れか一方のみあってもよい。つまり、第１開き止め体２４及び第２開き止め体２６の一方が、折戸２２を開くときに他方の開き止め体に対して摺動することで、他方の開き止め体との間での上下方向での相対変位をガイドするガイド面を有していればよい。
【００７５】
以上の実施形態、変形例により具体化される発明を一般化すると、以下の技術的思想が導かれる。以下、発明が解決しようとする課題に記載の態様を用いて説明する。
【００７６】
第２態様の折戸装置は、第１態様において、前記第１開き止め体は、前記上下の枠のうち、前記一対の戸体を前記回動軸を介して支持する支持枠に設けられてもよい。
支持枠に撓みが生じたとき、その撓みに追従して戸体が変位するため、支持枠と戸体との間のクリアランスは変動し難い。この態様によれば、このような支持枠に第１開き止め体が設けられているため、支持枠に撓みが生じたときでも、第１開き止め体と第２開き止め体との間での上下方向での相対的な位置関係が変化し難い。よって、支持枠に撓みが生じたときでも、戸体を開くときに第２開き止め体を第１開き止め体に接触させ易くなり、各開き止め体により安定して折戸を折り畳み状態に保持できるようになる。
【００７７】
第３態様の折戸装置は、第１の態様又は第２の態様において、前記第１開き止め体及び前記第２開き止め体の一方は、前記折戸が開くときに他方の開き止め体に対して摺動することで、前記他方の開き止め体との間での上下方向での相対変位をガイドするガイド面を有してもよい。
この態様によれば、折戸を開くときに、第２開き止め体を保持位置にまでスムーズに移動させ易くなる。
【００７８】
第４態様の折戸装置は、第３態様において、前記第１開き止め体及び前記第２開き止め体の他方は、前記折戸が開くときに一方の開き止め体のガイド面に対して摺動することで、前記一方の開き止め体との間での上下方向での相対変位をガイドするガイド面を有していてもよい。
この態様によれば、折戸を開くときに、第２開き止め体を保持位置にまでよりスムーズに移動させ易くなる。
【００７９】
第５態様の折戸装置は、第１態様〜第４態様のいずれかにおいて、前記上下の枠は、一方側の長手方向の開口端から他方側に向かって前記回動軸を挿入可能な中空形状であり、前記第２開き止め体は、平面視において前記上下の枠に対して交差するように前記戸体を配置した状態で前記上下の枠内に前記開口端から前記回動軸を挿入するときに、前記第１開き止め体に対して摺動することで、前記第１開き止め体との間での上下方向での相対変位をガイドするガイド面を有してもよい。
この態様によれば、上下の枠内に開口端から回動軸を挿入するとき、戸体をスムーズに移動させ易くなる。
【符号の説明】
【００８０】
１０…折戸装置、２０（Ａ）…枠（支持枠）、２０（Ｂ）…枠（ガイド枠）、２０ｆ…開口端、２２…折戸、２４…第１開き止め体、２６…第２開き止め体、２４ｂ…第１ガイド面、２６ｂ…第２ガイド面、２６ｃ…第３ガイド面、３２…戸体、４０…回動軸。
【図１】
0006704780.tif 000002
【図２】
0006704780.tif 000003
【図３】
0006704780.tif 000004
【図４】
0006704780.tif 000005
【図５】
0006704780.tif 000006
【図６】
0006704780.tif 000007
【図７】
0006704780.tif 000008
【図８】
0006704780.tif 000009
【図９】
0006704780.tif 000010
【図１０】
0006704780.tif 000011
【図１１】
0006704780.tif 000012
【図１２】
0006704780.tif 000013
【図１３】
0006704780.tif 000014
【図１４】
0006704780.tif 000015
【図１５】
0006704780.tif 000016
【図１６】
0006704780.tif 000017
【図１７】
0006704780.tif 000018